(57)【要約】【課題】  ウェブ文書の編集及び表示方法を採択した家電製品の場合、その家電製品がマウスやタッチペンなどの入力手段を備えていないとしても、方向キーのみでも多量のウェブ文書を容易かつ迅速に閲覧しうるウェブ文書編集または表示装置及び方法を提供する。【解決手段】  インターネットを通じて受信したウェブ文書の内容を、種類によって２以上の部分に分類するブラウザと、分類されたウェブ文書の部分の間の対応関係についての情報を含むマッピングテーブルを保存するメモリと、分類された部分のうち一部分のみを含む要約ウェブ文書を表示するためのディスプレイと、ユーザが要約ウェブ文書に含まれた項目のうち一つを選択するためのユーザ入力手段と、を備え、ブラウザは、各項目の主要部分のみディスプレイし、選択された主要部分については、マッピングテーブルを参照して選択された主要部分に対応する表示されていない詳細情報部分をディスプレイに追加的に表示することを特徴とするウェブ文書編集及び表示装置である。【選択図】      図５
2008117375.tif 000002
【特許請求の範囲】
【請求項１】
インターネットを通じて受信したウェブ文書の内容を、種類によって２以上の部分に分類するブラウザと、
前記分類された部分のうち一部分のみを含む要約ウェブ文書を表示するためのディスプレイと、を備え、
前記ブラウザは、前記ディスプレイに表示された要約ウェブ文書のうち選択された項目の表示されていない部分をディスプレイに追加的に表示することを特徴とするウェブ文書の編集及び表示装置。
【請求項２】
前記ウェブ文書編集及び表示装置は、前記分類されたウェブ文書の部分間の対応関係についての情報を含むマッピングテーブルを保存するメモリをさらに備えることを特徴とする請求項１に記載のウェブ文書の編集及び表示装置。
【請求項３】
前記ウェブ文書編集及び表示装置は、ユーザが前記要約ウェブ文書に含まれた項目のうち一つを選択するためのユーザ入力手段をさらに備えることを特徴とする請求項１に記載のウェブ文書の編集及び表示装置。
【請求項４】
前記要約ウェブ文書は、インターネットを通じて受信したウェブ文書の内容のうち題目部分のみを含むことを特徴とする請求項１に記載のウェブ文書の編集及び表示装置。
【請求項５】
前記ユーザ入力手段は、複数の方向キーを備えることを特徴とする請求項１に記載のウェブ文書の編集及び表示装置。
【請求項６】
前記ウェブ文書編集及び表示装置は、インターネットを通じて他のコンピュータからウェブ文書を受信することを特徴とする請求項１に記載のウェブ文書の編集及び表示装置。
【請求項７】
前記他のコンピュータは、検索エンジン用サーバであることを特徴とする請求項６に記載のウェブ文書の編集及び表示装置。
【請求項８】
請求項１に記載のウェブ文書編集及び表示装置を備える家電製品。
【請求項９】
インターネットを通じてウェブ文書を受信するステップと、
前記ウェブ文書の内容を種類によって２以上の部分に分類するステップと、
前記分類されたウェブ文書の部分の間の対応関係についての情報を含むマッピングテーブルを作成するステップと、を含むウェブ文書の編集方法。
【請求項１０】
前記ウェブ文書は、インターネット検索結果を含むことを特徴とする請求項９に記載のウェブ文書の編集方法。
【請求項１１】
前記分類された２以上の部分は、題目部分及び説明部分を含むことを特徴とする請求項９に記載のウェブ文書の編集方法。
【請求項１２】
要約ウェブ文書を表示するステップと、
ユーザが前記要約ウェブ文書のうち所望の項目を選択するステップと、
マッピングテーブルを参照して前記選択された項目の表示された部分に対応する表示されていない部分を検索するステップと、
前記検索された表示されていない部分を追加的に表示するステップと、を含むウェブ文書の表示方法。
【請求項１３】
前記要約ウェブ文書は、インターネットを通じて受信したウェブ文書の内容のうち題目部分のみを含むことを特徴とする請求項１２に記載のウェブ文書表示方法。
【請求項１４】
前記項目を選択するステップは、ユーザが複数の方向キーを利用して要約ウェブ文書のうち関心のある項目にフォーカスを移動するステップ及び前記フォーカスの位置を調べて選択された項目を調べるステップを含むことを特徴とする請求項１２に記載のウェブ文書の表示方法。
【請求項１５】
前記表示されていない部分を追加的に表示する方法は、前記要約ウェブ文書上に前記表示されていない事項を重畳して表示することを特徴とする請求項１２に記載のウェブ文書表示方法。
【請求項１６】
前記表示されていない部分を追加的に表示する方法は、前記表示されていない事項を前記ウェブ文書の空いている空間に表示することを特徴とする請求項１２に記載のウェブ文書表示方法。
【請求項１７】
前記表示されていない部分をメッセージボックスに入れてポップアップ方式で表示することを特徴とする請求項１５に記載のウェブ文書表示方法。
【請求項１８】
（ａ）インターネットを通じて受信したウェブ文書の内容を種類によって２以上の部分に分類するための手段と、
（ｂ）前記ウェブ文書内容のうち一部分のみを表示するための手段と、
（ｃ）前記ウェブ文書の内容のうち表示されていない部分を追加的に表示するための手段と、を備えるウェブ文書の編集及び表示のためのブラウザ。
【請求項１９】
前記ブラウザは、前記分類されたウェブ文書の部分の間の対応関係についての情報を含むマッピングテーブルを作成するための手段をさらに備えることを特徴とする請求項１８に記載のウェブ文書の編集及び表示のためのブラウザ。
【請求項２０】
前記ブラウザは、前記マッピングテーブルを参照してユーザが選択された項目の表示された部分に対応する表示されていない部分を検索するための手段をさらに備えることを特徴とする請求項１９に記載のウェブ文書の編集及び表示のためのブラウザ。
【請求項２１】
前記（ａ）分類するための手段は、ウェブ文書のソースのタグを利用してウェブ文書の内容を種類別に分類することを特徴とする請求項１８に記載のウェブ文書の編集及び表示のためのブラウザ。
【請求項２２】
請求項１８に記載のウェブ文書の編集及び表示のためのブラウザを備える携帯用装置。
【請求項２３】
前記携帯用装置は、複数の方向キーを備えることを特徴とする請求項２２に記載の携帯用装置。
【請求項２４】
インターネットを通じて受信したウェブ文書の内容を種類によって２以上の部分に分類するステップと、
前記ウェブ文書内容のうち一部分のみを表示するステップと、
前記ウェブ文書の内容のうち表示されていない部分を追加的に表示するステップと、を含むウェブ文書の編集及び表示方法の実行のためのプログラムを記録したコンピュータで読み取り可能な記録媒体。
【請求項２５】
前記プログラムは、前記分類されたウェブ文書の部分の間の対応関係についての情報を含むマッピングテーブルを作成するステップをさらに含むことを特徴とする請求項２４に記載のプログラムを記録したコンピュータで読み取り可能な記録媒体。
【請求項２６】
前記プログラムは、前記マッピングテーブルを参照してユーザが選択された項目の表示された部分に対応する表示されていない部分を検索するステップをさらに含むことを特徴とする請求項２５に記載のプログラムを記録したコンピュータで読み取り可能な記録媒体
。
【発明の詳細な説明】
【技術分野】
【０００１】
本発明は、クライアントによるウェブ文書の編集及び表示に係り、特に、４方向キーのように少数の入力キーのみを有する家電製品でユーザが容易にウェブ文書を閲覧可能にするウェブ文書の編集及び表示方法及び装置に関する。
【背景技術】
【０００２】
図１は、一般的なコンピュータモニターの画面を示すが、インターネット検索結果を示すウェブ文書を表示している。ユーザが自身のコンピュータ（クライアントコンピュータ）をインターネット検索エンジン用のサーバコンピュータに連結した後、“ＫＯＲＥＡ”というキーワードでインターネット検索を要請する。サーバコンピュータで検索した後に、その結果を一定形式のウェブ文書として作成してクライアントコンピュータに送信し、これを受信したクライアントコンピュータは、前記サーバで作成した形式に合わせて自身のモニター１１上に表示する。前記例でクライアントコンピュータは、ブラウザとしてマイクロソフト社のインターネットエクスプロラーを使用した。現在、ブラウザとして一般的に使われるインターネットエクスプロラーは、図１に示されたように、サーバコンピュータで作成されたウェブ文書形式そのままモニターに表示する。しかし、もし、前記と同じ方式でウェブ文書をＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）などの携帯用装置の画面に表示しようとするならば、前記ウェブ文書の一部分のみを表示するようになる。それは、一般的に携帯用装置ディスプレイ１２は、携帯可能に、コンピュータディスプレイ１１に比べて、はるかに小さなサイズを有するためである。その例として、図１に示したように、一般のコンピュータディスプレイ１１は、４から１０まで７個以上の項目を表示できる一方、携帯用装置は、小さなサイズのディスプレイ１２を有して、４から６まで３個ほどの項目のみを表示しうる。携帯用装置の場合、ユーザがディスプレイ１２に表示されていない項目（７ないし１０）を閲覧するためには、ウェブ文書をスクロールしてウェブ文書を上側に移動させねばならない。しかし、図２に示したように、一般的に携帯用装置の場合、入力手段としてマウスやキーボードを含まず、単に４方向キー２１をはじめとした少ない数のキー（またはボタン）のみを含んでいるので、ウェブ文書の移動に多くの不便が生じる。また、一旦、ディスプレイ１２上に表示された項目（４ないし６）であっても、そのうち一つを選択するためには、４方向キーを利用してフォーカスを移動せねばならないが、マウスとは異なり、４方向キーを利用する場合には、フォーカスは、全ての項目を経て移動するため、相対的に長い時間と多くのキー入力とを要する。また、ユーザが全ての項目について関心を有するものではないので、始めから各項目の詳細な説明まで表示する必要はない。
【０００３】
ＩＰＴＶ（Ｉｎｔｅｒｎｅｔ  Ｐｒｏｔｏｃｏｌ  Ｔｅｌｅｖｉｓｉｏｎ）または日本向きＴＶの場合も、ウェブサーフィンを可能にするために、ＨＴＭＬ形式の文書を支援できるブラウザを必須的に含むように決まっている。日本向きＴＶなどのディスプレイは、コンピュータモニターのサイズ以上のサイズを有するので、一度に多くの情報をディスプレイに表示しうる。しかし、日本向きＴＶの入力手段として使われるリモコンは、携帯用装置と同様に、複数のキーのみで構成されるので、前記携帯用装置の場合に発生する問題点が再び発生する。例えば、ウェブページの長さが非常に長くて、ＴＶ画面に全部表示できない場合には、見えないウェブページ部分を見るために、ウェブ文書をスクロールして移動させねばならないという問題点がある。
【発明の開示】
【発明が解決しようとする課題】
【０００４】
本発明が解決しようとする課題は、従来の技術の問題点を解決し、携帯用装置でユーザが容易にウェブ文書を閲覧できるようにするウェブ文書を編集または表示するための方法及び装置、そして、ブラウザを提供することである。
【課題を解決するための手段】
【０００５】
前記課題を達成するための本発明によるウェブ文書の編集及び表示装置は、インターネットを通じて受信したウェブ文書の内容を、種類によって２以上の部分に分類するブラウザと、前記分類されたウェブ文書の部分の間の対応関係についての情報を含むマッピングテーブルを保存するメモリと、前記分類された部分のうち一部分のみを含む要約ウェブ文書を表示するためのディスプレイと、ユーザが前記要約ウェブ文書に含まれた項目のうち一つを選択するためのユーザ入力手段と、を備え、前記ブラウザは、前記マッピングテーブルを参照して、前記選択された項目の表示されていない部分をディスプレイに追加的に表示することを特徴とする。
【０００６】
前記他の課題を達成するための本発明によるウェブ文書の編集方法は、インターネットを通じてウェブ文書を受信するステップと、前記ウェブ文書の内容を、種類によって２以上の部分に分類するステップと、前記分類されたウェブ文書の部分の間の対応関係についての情報を含むマッピングテーブルを作成するステップと、を含むことを特徴とする。
【０００７】
前記さらに他の課題を達成するための本発明によるウェブ文書の編集方法は、要約ウェブ文書を表示するステップと、ユーザが前記要約ウェブ文書のうち所望の項目を選択するステップと、マッピングテーブルを参照して前記選択された項目の表示された部分に対応する表示されていない部分を検索するステップと、前記検索された表示されていない部分を追加的に表示するステップと、を含むことを特徴とする。
【０００８】
前記さらに他の課題を達成するための本発明によるウェブ文書の編集及び表示のためのブラウザは、（ａ）インターネットを通じて受信したウェブ文書の内容を、種類によって２以上の部分に分類するための手段と、（ｂ）前記分類されたウェブ文書の部分の間の対応関係についての情報を含むマッピングテーブルを作成するための手段と、（ｃ）前記ウェブ文書内容のうち一部分のみを表示するための手段と、（ｄ）マッピングテーブルを参照してユーザが選択された項目の表示された部分に対応する表示されていない部分を検索するための手段と、（ｅ）前記検索された表示されていない部分を追加的に表示するための手段と、を備えることを特徴とする。
【発明の効果】
【０００９】
本発明によるウェブ文書の編集及び表示方法を採択した家電製品の場合、その家電製品がマウスやタッチペンなどの入力手段を備えていないとしても、方向キーのみでも多量のウェブ文書を容易かつ迅速に閲覧しうる。
【発明を実施するための最良の形態】
【００１０】
以下、添付された図面を参照して本発明による実施形態を具体的に説明する。
【００１１】
図３は、本発明によるウェブ文書の編集及び表示装置の機能ブロック図を示す。
【００１２】
本発明によるウェブ文書の表示装置３２は、ネットワークインターフェース３２１、ブラウザ３２２、ユーザ入力手段３２３、ディスプレイ３２４、メモリ３２５を備え、ＰＭＰ、ＰＤＡ、ＩＰＴＶ（Ｉｎｔｅｒｎｅｔ  Ｐｒｏｔｏｃｏｌ  Ｔｅｌｅｖｉｓｉｏｎ）、日本向きＴＶなどの一部分で構成される。本発明によるウェブ文書の編集／表示装置３２は、インターネットをサーバコンピュータ３１や他のクライアントコンピュータ３３に有線または無線で電気的に接続され、前記接続されたコンピュータからウェブ文書を受信する。したがって、前記装置とコンピュータとは、インターネットサービスを支援できるようにＴＣＰ／ＩＰ（トランスミッション  コントロール  プロトコル/インターネット  プロトコル）プロトコルを支援し、通信のための入出力ポート、ＬＡＮ（ローカル  エリア  ネットワーク）ケーブル、モデムを備えていなければならない。
【００１３】
サーバコンピュータ３１は、検索サービスのその他の各種コンデンツ供給者であって、特に、クライアントコンピュータのためにウェブ文書形式のコンデンツを提供できねばならない。ウェブ文書とは、ＨＴＭＬ、ＸＨＴＭＬ、ＸＭＬなどの言語で作成されたインターネットサービス用の電子ファイルを意味する。
【００１４】
説明の便宜上、本発明によるブラウザ３２２は、単純にウェブ文書の編集／表示のための応用プログラムのみを意味するものではなく、その応用プログラムを含んで、その応用プログラムを実行するためのプロセッサ、キャッシュメモリなどのハードウェアー的な構成を含むものと定義する。
【００１５】
ディスプレイ３２４とは、ユーザに視覚的にウェブ文書を出力するための構成要素であって、ＬＣＤ（Ｌｉｑｕｉｄ  Ｃｒｙｓｔａｌ  Ｄｉｓｐｌａｙ：液晶表示素子）が代表的な例である。
【００１６】
ユーザ入力手段３２３は、ユーザがブラウザを操作するための命令を入力するための手段として４方向キー、確認キーなど少ない数のキーのみを含む。
【００１７】
図４は、本発明によるウェブ文書の編集方法を示すフローチャートである。
【００１８】
ステップ４１は、ウェブ文書を受信するステップである。本発明によるウェブ文書の編集／表示装置３２は、サーバコンピュータ３１や他のクライアントコンピュータ３３に有線または無線で接続され、前記接続されたコンピュータからウェブ文書を受信する。
【００１９】
ステップ４２は、ステップ４１で受信したウェブ文書のデータをキャッシュメモリに保存するステップである。
【００２０】
ステップ４３は、前記ウェブ文書を構文解釈するステップである。受信したウェブ文書の各項目は、題目部分と説明部分とからなる。ブラウザは、受信したウェブ文書を構文解釈して、ウェブ文書内容のうち題目に該当する部分と説明に該当する部分とを分類する。本発明によるブラウザの構文解釈方法の一例を説明すれば、次の通りである。
【００２１】
下記には、図１のウェブ文書に含まれた検索結果のうち９番目の項目（Ｔｈｅ  Ｋｏｒｅａ  Ｈｅｒａｌｄ）と１０番目の項目（Ｔｈｅ  Ｋｏｒｅａ  Ｔｉｍｅｓ）とに対応するソースが記載されている。
【００２２】
全ての題目部分及び説明部分は、タグ（＜ｄｉｖ＞,＜／ｄｉｖ＞）によって区分される。例えば、Ｔｈｅ  Ｋｏｒｅａ  Ｈｅｒａｌｄの題目部分は、一番目の＜ｄｉｖ＞＜／ｄｉｖ＞によって識別され、説明部分は、二番目の＜ｄｉｖ＞＜／ｄｉｖ＞によって識別される。したがって、このタグを利用してウェブ文書の内容を項目単位で題目部分と説明部分とに分類する。
=================The  Korea  Heraldの題目部分==============================
<li>
<div>
<a  class=“yschttl  ytrk31”]  href=“http://rds.yahoo.com/_ylt=A0geus50tz
1FNGUAQ4pXNyoA；_ylu=X3oDMTE4cGRiMTEzBGNvbG8DZQRsA1dTMQRwb3MDOQRzZWMDc3IednR
pZANZUzEwN18xMDM-/SIG=11h40d4lv/EXP=1161758964/**http%3a//www.koreaherald.co.
kr/”>The<b>Korea</b>Herald</a>
</div>
===============The  Korea  Heraldの説明部分================================
<div  class=yschabstr><b>Korea</b>'s  leading  English-language  daily  newspaper.
The<b>Korea</b>Herald  presents  national  and  international  news  headlines、
with  business、science、culture、and  community  feature  stories  as  well  as
weather  information  and  classifieds.</div><div>  Category:<a  class=ytrk32
href=“http://rds.yahoo.com/_ylt=A0geus50tz1FNGUARIpXNyoA/SIG=135psd4el/EXP
=1161758964/**http%3a//dir.yahoo.com/Regional/Countries/Korea__South/Cities/
Seoul/News_and_Media/”>South<b>Korea</b>&gt；Seoul&gt；Newspapers</a>
</div>
<em  class=yschurl>www.<b>korea</b>herald.co.kr</em>
-<em>48k</em>
-<a  class=ytrk33  href=http://rds.yahoo.com/_ylt=A0geus50tz1FNGUARopXNyoA；
_ylu=X3oDMTEydjR0NWwyBGNvbG8DZQRwb3MDOQRzZWMDc3IEdnRpZANZUzEwN18xMDM/SIG=15f
j9l27i/EXP=1161758964/**http%3a//216.109.125.130/search/cache%3fp=korea%26fr
=yfp-t-501%26toggle=1%26ei=UTF-8%26u=www.koreaherald.co.kr/%26w=korea%26d=QI
VR1SQ8Nqfd%26icp=1%26.intl=us”>Cached</a>
-<a  class=ytrk34href=“http://rds.yahoo.com/_ylt=A0geus50tz1FNGUAR4pXNyoA
/SIG=144t8n5so/EXP=1161758964/**http%3a//search.yahoo.com/search%3fp=korea%2
6toggle=1%26ei=UTF-8%26fr=yfp-t501%26vst=0%26vs=www.koreaherald.co.kr”>More
from  this  site</a>
=================The  Korea  timesの題目部分==============================
<li>
<div><a class=“yschttl  ytrk35”  href=“http://rds.yahoo.com/_ylt=A0geus
50tz1FNGUASIpXNyoA；_ylu=X3oDMTE5NDlyNzZuBGNvbG8DZQRsA1dTMQRwb3MDMTAEc2VjA3N
yBHZ0aWQDWVMxMDdfMTAz/SIG=11e09u5po/EXP=1161758964/**http%3a//times.hankooki
.com/”>The<b>Korea</b>Times</a>
</div>
=================The  Korea  timesの説明部分==============================
<div  class=yschabstr>English  Daily  published  by  Hankookilbo、a  national
daily.…<b>Korea</b>Drama  Fest  Opens  in  Chinju…Bank  of  <b>Korea</b>(BOK)
Governor  Lee  Seong-tae  said  the  country…
</div>
<em  class=yschurl>times.hankooki.com</em>
-em>42k</em>
−<a  class=ytrk36  href=“http://rds.yahoo.com/_ylt=A0geus50tz1FNGUASopXNy
oA；_ylu=X3oDMTEzc2FxYWpzBGNvbG8DZQRwb3MDMTAEc2VjA3NyBHZ0aWQDWVMxMDdfMTAz/SI
G=15crue6rg/EXP=1161758964/**http%3a//216.109.125.130/search/cache%3fp=korea
%26fr=yfp-t-501%26toggle=1%26ei=UTF-8%26u=times.hankooki.com/%26w=korea%26d=
ab-ykCQ8Nqlz%26icp=1%26.intl=us”>Cached</a>
-<a  class=ytrk37  href=“http://rds.yahoo.com/_ylt=A0geus50tz1FNGUAS4pXNyo
A/SIG=141t139o1/EXP=1161758964/**http%3a//search.yahoo.com/search%3fp=korea%
26toggle=1%26ei=UTF-8%26fr=yfp-t-501%26vst=0%26vs=times.Hankooki.com”>More
from  this  site</a>
ステップ４４は、マッピングテーブルを作成するステップである。マッピングテーブルは、項目別にステップ４３で分類されたそれぞれの題目部分と説明部分との対応関係についての情報を含み、作成後にメモリ３２５に保存される。
【００２３】
図５は、本発明によるウェブ文書の表示方法を示すフローチャートである。
【００２４】
ステップ５１は、要約ウェブ文書を表示するステップである。ブラウザは、キャッシュメモリに保存されたウェブ文書の内容のうち、ステップ４３で題目として分類された部分のみをディスプレイ上に表示する。以下、題目部分のみで構成されたウェブ文書は、要約ウェブ文書（図６）という。
【００２５】
ステップ５２は、ユーザがキー入力を行うステップである。ユーザは、４方向キーを利用して、ディスプレイ上の要約ウェブ文書のうち、ユーザの関心のある題目側にフォーカス６１を移動させて関心のある項目を選択する。
【００２６】
ステップ５３は、フォーカスの位置を調べるステップである。ブラウザは、ディスプレイ上で前記フォーカスが置かれた題目部分を調べる。
【００２７】
ステップ５４では、前記フォーカスが位置した題目部分に対応する説明部分を探すために、マッピングテーブルを参照して前記題目に対応する説明部分を検索する。
【００２８】
ステップ５５では、ステップ５４で検出された説明部分をディスプレイ上に表示する。望ましくは、前記説明部分は、メッセージボックスの形態にディスプレイ上にポップアップされ、前記題目部分を隠さないようにディスプレイ上の空いている空間に表示される。一旦、表示されたメッセージボックスもフォーカスが移動すれば、消える。メッセージボックスは、色々な形態を有し、半透明に表示されることもある。
【００２９】
図６及び図７は、本発明によるウェブ文書の表示方法の一実施形態を示す。
【００３０】
図６は、編集された要約ウェブ文書であって、図１のウェブ文書のうち題目に該当する部分のみ含むように編集されてディスプレイに表示される。ユーザは、入力手段３２３を通じて前記フォーカスを移動して１０番目の題目部分（Ｔｈｅ  Ｋｏｒｅａ  Ｔｉｍｅｓ）に位置させる。図６の実施形態では、フォーカススタイルとして矢印が使われているが、他の実施形態では、矢印以外の他の形態のフォーカススタイルが使われる。例えば、フォーカススタイルとして、矢印の代わりに他の形状のアイコンが使われ、アイコンを使用せず、該当する題目部分を反転させて残りの題目部分と区分させうる。次いで、ブラウザは、マッピングテーブルを参照して、前記１０番目の題目部分に対応する説明部分を検索した後、図７に示したように、検出された説明部分をメッセージボックス７１に入れてディスプレイ上の空いている空間に表示する。図７は、前記１０番目の題目部分に対応する説明部分をディスプレイ上の空いている空間に表示することを示しているが、これに限定されず、題目部分が表示された部分と重畳されて表示することもある。この場合、検出された説明部分は、メッセージボックスに入れて表示することもある。また、この場合に検出された説明部分の背景色を透明に処理することもでき、不透明に処理してユーザの可読性を向上させることもできる。
【００３１】
本発明はまた、コンピュータプログラム（またはコンピュータで読み取り可能な記録媒体にコンピュータ可読コード）として具現することが可能である。コンピュータで読み取り可能な記録媒体は、コンピュータシステムによって読み取られるデータが保存される全ての種類の記録装置を含む。コンピュータで読み取り可能な記録媒体の例としては、ＲＯＭ（リード  オンリー  メモリ）、ＲＡＭ（ランダム  アクセス  メモリ）、ＣＤ−ＲＯＭ、磁気テープ、ハードディスク、フロッピー（登録商標）ディスク、フラッシュメモリ、光データ記録装置があり、またキャリアウェーブ（例えば、インターネットを通じた伝送）の形で具現されるものも含む。また、コンピュータで読み取り可能な記録媒体は、ネットワークに連結されたコンピュータシステムに分散され、分散方式でコンピュータ可読コードとして保存され、かつ実行される。
【００３２】
本発明は、前述した実施形態に限定されず、当業者によって本発明の技術的思想の範囲内で多様な形態の実施形態が可能である。したがって、特許請求の範囲に記載された事項の技術的思想及び範囲は、前述した実施形態に限定されない。
【産業上の利用可能性】
【００３３】
本発明は、ウェブ文書の編集または表示関連の技術分野に適用可能である。
【図面の簡単な説明】
【００３４】
【図１】従来の技術を説明するためのコンピュータモニターを示す図である。
【図２】本発明が適用される携帯用装置の例を示す図である。
【図３】本発明によるウェブ文書の編集及び表示装置の機能ブロック図である。
【図４】本発明によるウェブ文書の編集方法を示すフローチャートである。
【図５】本発明によるウェブ文書の表示方法を示すフローチャートである。
【図６】本発明によって表示された要約ウェブ文書を示す図である。
【図７】本発明によって説明部分が表示されたウェブ文書を示す図である。
【符号の説明】
【００３５】
２１    ４方向キー
３１    サーバコンピュータ
３２    表示装置
３３    クライアントコンピュータ
６１    フォーカス
７１    メッセージボックス
３２１  ネットワークインターフェース
３２２  ブラウザ
３２３  ユーザ入力手段
３２４  ディスプレイ
３２５  メモリ
【図２】
2008117375.tif 000003
【図３】
2008117375.tif 000004
【図４】
2008117375.tif 000005
【図５】
2008117375.tif 000006
【図１】
2008117375.tif 000007
【図６】
2008117375.tif 000008
【図７】
2008117375.tif 000009